(57)【要約】【課題】巻斑を防止することができるホースリールを提供する。【解決手段】本体ケース１１内にドラム１５を回転自在に支持する。ケース本体１１に設けられたホース１４の出入口３３の下部開口縁を直線状に形成し、ホース１４の横方向への移動を自在とする下方規制部３６を形成する。下方規制部３６は、ホース１４に下方から接し、ホース１４の下方への移動を規制する。下方規制部３６を、ドラム１５によるホース１４の巻取開始位置３９より高位置に設定し、ホース１４の通過経路４０を下方規制部３６の前後より当該下方規制部３６上にて高い山型となるように構成する。【選択図】          図７
2004244178.tif 000002
【特許請求の範囲】
【請求項１】
ドラムを回動してホースを巻き取るホースリールにおいて、
前記ドラムに巻き取られるホースの移動経路上に、該ホースに下方から接して当該ホースの下方への移動を規制する下方規制部を設けたことを特徴とするホースリール。
【請求項２】
前記下方規制部を前記ドラムによる前記ホースの巻取開始位置より高位置に設定し、前記ホースの通過経路が前記下方規制部の前後より当該下方規制部上にて高い山型となるように構成したことを特徴とする請求項１記載のホースリール。
【請求項３】
前記ドラムを、ケース状の本体ケース内に回動自在に支持し、該本体ケースに前記ホースの出入口を設けるとともに、該出入口の下縁に前記下方規制部を設定したことを特徴とする請求項１又は２記載のホースリール。
【請求項４】
前記下方規制部に、前記ホースに接して当該ホースの移動を促す方向に回転する回転部材を設けたことを特徴とする請求項１、２又は３記載のホースリール。
【発明の詳細な説明】
【０００１】
【発明の属する技術分野】
本発明は、ホースを巻き取るホースリールに関する。
【０００２】
【従来の技術】
従来、散水用のホースを巻き取る際には、ホースリールが用いられていた。
【０００３】
該ホースリールは、フレームと、該フレームに回動自在に支持されたドラムからなり、前記フレームは、左右の側板と、両側板を連結するパイプ材とによって構成されている。
【０００４】
また、前記ドラムは、ホースが巻き付けられる胴部と、該胴部の両端部に設けられた鍔部とによって形成されている。
【０００５】
【発明が解決しようとする課題】
しかしながら、このようなホースリールにあっては、ホースの巻取り方向が開放されており、ドラムに巻かれるホースに巻斑が生じ易かった。
【０００６】
これにより、所定量のホースが巻き取れるように設計されたドラムに、前記所定量のホースを巻き取れなくなるという問題が生じ得る。
【０００７】
本発明は、このような従来の課題に鑑みてなされたものであり、巻斑を防止することができるホースリールを提供することを目的とするものである。
【０００８】
【課題を解決するための手段】
前記課題を解決するために本発明の請求項１のホースリールにあっては、ドラムを回動してホースを巻き取るホースリールにおいて、前記ドラムに巻き取られるホースの移動経路上に、該ホースに下方から接して当該ホースの下方への移動を規制する下方規制部を設けた。
【０００９】
すなわち、ドラムを回動してホースを巻き取る際には、下方規制部がホースの下方より摺接する。これにより、該ホースには、摺接抵抗が生じ、巻取り方向と逆向きの力が作用する。
【００１０】
また、請求項２のホースリールにおいては、前記下方規制部を前記ドラムによる前記ホースの巻取開始位置より高位置に設定し、前記ホースの通過経路が前記下方規制部の前後より当該下方規制部上にて高い山型となるように構成した。
【００１１】
すなわち、ドラムに巻かれるホースの通過経路は、下方規制部上にて高い山型となるように構成されており、前記下方規制部には、前後のホースの荷重が加えられる。
【００１２】
さらに、請求項３のホースリールでは、前記ドラムを、ケース状の本体ケース内に回動自在に支持し、該本体ケースに前記ホースの出入口を設けるとともに、該出入口の下縁に前記下方規制部を設定した。
【００１３】
すなわち、ドラムは本体ケース内に収容されており、ドラムに巻かれたホースは本体ケースによって覆われる。そして、本体ケースに設けられた出入口の下縁に下方規制部が設定される。
【００１４】
加えて、請求項４のホースリールにあっては、前記下方規制部に、前記ホースに接して当該ホースの移動を促す方向に回転する回転部材を設けた。
【００１５】
すなわち、下方規制部には、ホースに接して当該ホースの移動を促す方向に回転する回転部材が設けられており、前記ホースは、この回転部材が回転することによってドラム側へ向けて案内される。
【００１６】
【発明の実施の形態】
以下、本発明の一実施の形態を図に従って説明する。図１は、本実施の形態にかかるホースリール１を示す図であり、該ホースリール１は、散水用のホースを巻き取る際に使用されるものである。
【００１７】
このホースリール１は、フレームを構成する矩形状の本体ケース１１を備えてなり、該本体ケース１１は、図２にも示すように、上方に開口した矩形容器状の下部構成部材としての下部容器１２と、下方に開口した矩形容器状の上部構成部材である上部容器１３とが端縁にて図外のタッピンネジで結合されて形成されている。この本体ケース１１の内部空間Ｋには、図３に示すように、ホース１４を巻き取る為のドラム１５が収容されており、該ドラム１５は、ホース挿通穴１６を貫通したホース１４が巻かれる円筒状の胴部１７と、該胴部１７の両端部に設けられた鍔部１８，１８とによって構成されている。
【００１８】
このドラム１５は、２０ｍのホース１４を巻き取れる容量に設定されており、当該ドラム１５に巻き取られる前記ホース１４の長さ寸法は、２０ｍに設定されている。これにより、大径のドラムを用いた場合と比較して、部材コストを抑えつつ、ホース１４を巻き取れるように設計されている。
【００１９】
前記上部容器１３の天面２１は、図１及び図４に示すように、矩形状に形成されており、平坦に形成されている。また、当該天面２１は、他のホースリールの本体ケース１１を積載できる広さに設定されており、積載部を構成している。
【００２０】
この天面２１には、コ字状に没入した凹部２２が形成されており、該凹部２２内には、コ字状の取っ手２３が配設されている。該取っ手２３は、自由端部を構成する握持部２４と、該握持部２４の両端から延出した延出部２５，２５とによってコ字状に形成されており、図５に示すように、両延出部２５，２５の先端に設けられた回動軸２６，２６を介して、前記上部容器１３に回動自在に支持されている。これにより、前記取っ手２３を、前記凹部２２内に収容した傾倒状態２７と起立した起立状態２８との間で回動できるように構成されている。
【００２１】
この取っ手２３の前記延出部２５，２５は、前記起立状態２８において、前記凹部２２の上縁部が構成する当接部２９に当接して回動が規制されるように構成されており、該当接部２９は、前方側に傾斜した傾斜面によって構成されている。この起立状態２８において、前記取っ手２３が前記傾倒状態２７から９０度を超えた所定角α、具体的には１０９度傾斜した状態で回動規制されるように構成されている。これにより、傾倒状態２７の取っ手２３を起立状態２８へ移行する際には、前記取っ手２３の自由端部を構成する前記握持部２４が前記回動軸２６が構成する回動中心上部を通過した後、前記延出部２５，２５が前記当接部２９に当接した状態で前方側に傾斜して停止するように構成されている。
【００２２】
前記上部容器１３の前面３１であって、前記ドラム１５に巻き取られるホース１４の移動経路上には、図６にも示すように、該ホース１４を案内するガイド部３２が設けられている。該ガイド部３２は、前記ホース１４が挿通する出入口３３を備えてなり、該出入口３３の上部開口縁は、前記ホース１４の上方への逃げを阻止する上方規制部３４を構成している。該上方規制部３４は、巻き取られる前記ホース１４の移動方向Ｉと交差する方向に延在しており（図１参照）、当該上方規制部３４は、中央部が上方へ向けて突出したアーチ状に形成されている。
【００２３】
なお、前記上方規制部３４が出入口３３の上部開口縁によって形成された場合を例に挙げて説明したが、これに限定されるものでは無く、例えば長尺状の部材をアーチ状に湾曲したもので構成しても良い。
【００２４】
この上方規制部３４には、図５に示したように、その全域に渡って庇部３５が形成されており、該庇部３５は、本体ケース１１の外側へ向けて突出している。当該上方規制部３４において、最も高い部位での高さ位置は、前記本体ケース１１に支持された前記ドラム１５の鍔部１８で最も高い部位より低くなるように設定されている。
【００２５】
前記出入口３３の下部開口縁は、図６に示したように、直線状に形成されており、前記ホース１４の移動経路上には、前記ホース１４の横方向への移動を自在とする下方規制部３６が形成されている。これにより、前記出入口３３は、円弧部分が上方に位置した半円形状に形成されている。
【００２６】
前記出入口３３の開口縁部を構成する前記下方規制部３６は、図５に示したように、一般部３７より厚肉に形成されており、厚肉部３８を構成している。この厚肉部３８での断面形状は、前記出入口３３の中心へ向けて突出する円弧状に形成されており、当該出入口３３を移動するホース１４が線接触するように構成されている。
【００２７】
また、前記下方規制部３６は、図７に示すように、前記ホース１４に下方から接して当該ホース１４の下方への移動を規制するように構成されている。この下方規制部３６は、前記ドラム１５による前記ホース１４の巻取開始位置３９より高位置に設定されており、前記ホース１４の通過経路４０が前記下方規制部３６の前後より当該下方規制部３６上にて高い山型となるように構成されている。
【００２８】
なお、この下方規制部３６が出入口３３の下部開口縁によって形成された場合を例に挙げて説明したが、これに限定されるものでは無く、例えば長尺状の部材を設けて構成しても良い。
【００２９】
この上部容器１３の左右側面４１，４２の下端と前記下部容器１２の左右側面４３，４４の上端との接合部分には、図１及び図６に示したように、両者を接合した状態で円形を成す側方に膨出した膨出部４５，４５が形成されており、両膨出部４５，４５間には、図３に示したように、前記ドラム１５の鍔部１８，１８から突出した胴部１７の端部が回動自在に支持されている。これら膨出部４５，４５の中央には、円形穴４６，４６が設けられており、左方に設けられた前記膨出部４５の円形穴４６には、前記ドラム１５を回動する為のクランク状のハンドル４７の軸４８が挿通している。
【００３０】
また、右方に設けられた前記膨出部４５の円形穴４６には、蛇口側のホースが接続される接続プラグ５１が挿通されており、該接続プラグ５１には、ドラム１５に巻かれたホース１４が接続されるパイプ部材５２の一端が接続されている。これにより、蛇口からの水道水を、前記接続プラグ５１を介して前記パイプ部材５２へ供給するとともに、該パイプ部材５２を介してドラム１５に巻かれた散水側のホース１４に供給できるように構成されている。
【００３１】
前記膨出部４５，４５が形成された前記上部及び下部容器１２，１３の左右側面４１，４２，４３，４４には、図１に示したように、上下に延在する帯状部５５，５５が前記ドラム１５の支持位置である前記膨出部４５，４５の上部及び下部に設けられている。この帯状部５５，５５は、上下に延在する複数の突条５６，・・・と凹溝５７，・・・とが交互に形成されてなり、波形に形成されている。これにより、この帯状部５５，５５は、平板状の左右側面４１，４２，４３，４４を補強するとともに、前記ドラム１５を支持する支柱として機能するように構成されている。
【００３２】
前記下部容器１２の底面６１には、図８に示すように、矩形状の底面開口部６２が開設されており、本体ケース１１は、この底面開口部６２を介して外部に連通している。
【００３３】
また、前記底面６１には、横長の脚固定部材６５，６５が前面３１側及び後面６８側の各縁部に沿ってネジ止めされている。両脚固定部材６５，６５の両端部には、図９に示すように、十字状の軸部６６，６６が互いに対向する方向へ突設されており、対向した軸部６６，６６には、同形状に形成された脚部６７，６７が回動自在に支持されている。
【００３４】
この脚部６７の両端部には、前記軸部６６，６６に外嵌する円筒部７１，７１が基端部７２に形成されており、この円筒部７１には、先端へ向けて延出する上面部７３が一体形成されている。前記両脚部６７，６７は、前記円筒部７１，７１を中心に回動することによって、図１０に示すように、両脚部６７，６７の先端が前記本体ケース１１の下部に配置され両脚部６７，６７が前記底面開口部６２の下部に配置された折り畳み状態７４と、図１に示したように、両脚部６７，６７の先端が本体ケース１１より側方へ延出し、かつ前記本体ケース１１の底面６１に当接して（図９参照）回動が規制された展開状態７５とを任意に形成できるように構成されている。
【００３５】
これにより、展開状態７５において、本体ケース１１の起立状態の安定化を図れるように構成されており、前記折り畳み状態７４にあっては、底面６１に開設された前記底面開口部６２を前記脚部６７，６７によって閉鎖できるように構成されている。
【００３６】
前記上面部７３は、一方の脚部６７を他方の脚部６７に先行して折り畳んで図１０に示した折り畳み状態７４を形成した際に、両脚部６７，６７の基端部７２，７２より先端側が重なる長さに形成されており、その裏面には、複数のリブ８１，・・・と、その両側縁から延出したフランジ８２，８２とが一体形成されている。このフランジ８２，８２及び前記リブ８１，・・・の高さ寸法は、図９にも示したように、基端部７２から先端へ向かうに従って低くなるように設定されており、各脚部６７の厚み寸法は、前記本体ケース１１に軸支された基端部７２から先端へ向かうに従って薄肉になるように設定されている。
【００３７】
さらに、両脚部６７，６７は、図１０に示したように、前記折り畳み状態７４にて重なり合う全域での厚み寸法の和が、両脚部６７，６７で最も厚い基端部７２での厚み寸法以下となるように、前記重合部８３での厚み寸法が設定されており、前記折り畳み状態７４において、両脚部６７，６７が、前記脚部固定部材６５の下面より上方に位置するように構成されている。
【００３８】
そして、図５に示したように、前記本体ケース１１の下部容器１２の内側面９１には、二本のリブ９２，９２が底面６１から上部開口部へ向けて延設されており、前記本体ケース１１の上部容器１３の内側面９３にも、二本のリブ９４，９４が天面２１から下部開口部へ向けて延設されている。つまり、これらのリブ９２，９２，９４，９４は、前記各容器１２，１３を樹脂成形する際の型抜き方向に延設されている。
【００３９】
各リブ９２，９２，９４，９４の高さ寸法Ｈは、図３に示したように、各内側面９１，９３から前記ドラム１５の鍔部１８までの離間距離Ｒ以上に設定されており、図５に示したように、各リブ９２，９２，９４，９４の長さ寸法は、その先端が前記鍔部１８に近接する長さに設定されている。
【００４０】
以上の構成にかかる本実施の形態において、ドラム１５を回動してホース１４を巻き取る際には、出入口３３下縁の下方規制部３６がホース１４の下方より摺接し、ホース１４に摺接抵抗を生じさせることができる。これにより、ドラム１５に巻かれるホース１４に、巻取り方向と逆向きの力を加えることができ、緩めに巻かれたホース１４間に隙間ができる等の巻斑を防止することができる。
【００４１】
したがって、ホース１４の巻取り方向が開放されドラム１５に巻かれるホース１４に巻斑が生じ易かったホースリールと比較して、ホース１４を密接して巻き取ることができ、予め設計された所定量のホース１４をドラム１５に巻き取ることができる。これにより、ドラム１５にホース１４が巻き取れなくなるという不具合を確実に防止することができる。
【００４２】
また、前記ドラム１５に巻かれるホース１４の通過経路４０は、前記下方規制部３６上にて高い山型となるように構成されており、前記下方規制部３６には、前後のホース１４の荷重が加えられる。
【００４３】
これにより、前記下方規制部３６にてホース１４に生じる摺接抵抗を増大することができるとともに、前記荷重を巻取り方向と逆向きの力として前記ホース１４に付与することができる。よって、ホース１４の巻斑防止効果をより高めることができる。
【００４４】
そして、前記ドラム１５は本体ケース１１内に収容されており、ドラム１５に巻かれたホース１４を、本体ケース１１で覆うことができる。これにより、紫外線によるホース１４の劣化を防止することができる。
【００４５】
また、前記本体ケース１１に設けられた出入口３３の下縁で下方規制部３６を構成することができる。これにより、巻斑防止効果が得るるため、ホース１４に巻斑が生じた際にホース１４が本体ケース１１の内側面と干渉してしまうといった不具合を解消しつつ、ホース１４の劣化防止効果を得ることができる。
【００４６】
【００４７】
図１１は、他の実施の形態を示す図であり、前述した実施の形態と同一又は同等の部分については、同符号を付して説明を割愛する。
【００４８】
すなわち、直線状に形成された出入口３３の下部開口縁には、円柱状の回転部材としてのコロ１０１が設けられており、該コロ１０１によって前記下方規制部３６が構成されている。このコロ１０１は、両端から延出した軸部１０２が、庇部３５の両下端に挿入された状態で回動自在に支持されており、出入口３３を挿通して移動するホース１４に接した際に、当該ホース１４の移動を促す方向に回転するように構成されている。
【００４９】
これにより、ドラム１５に巻き取られるホース１４は、ホース１４の移動経路上に設けられたコロ１０１に接する。このとき、このコロ１０１は、ホース１４に接して当該ホース１４の移動を促す方向に回転する。これにより、前記ホース１４を、前記コロ１０１によってドラム１５側へ向けて案内することができる。
【００５０】
したがって、ドラム１５に巻き取られるホース１４が案内されない場合と比較して、ホース１４の巻乱れを防止することができ、巻取り状態での外観品質の向上を図ることができるとともに、巻乱れによって生じ得る重心の偏りを防止することができる。
【００５１】
なお、本実施の形態では、出入口３３の下部開口縁に、コロ１０１を設けた場合を例に挙げて説明したが、これに限定されるものでは無く、ローラ等の他の回転部材を設けても、前述と同様の効果を得ることができる。
【００５２】
【発明の効果】
以上説明したように、本発明の請求項１のホースリールにあっては、ドラムを回動してホースを巻き取る際に、下方規制部をホースの下方より摺接させることで、ホースに摺接抵抗を生じさせることができる。これにより、ドラムに巻かれるホースに、巻取り方向と逆向きの力を加えることができ、緩めに巻かれたホース間に隙間ができる等の巻斑を防止することができる。
【００５３】
したがって、ホースの巻取り方向が開放されドラムに巻かれるホースに巻斑が生じ易かったホースリールと比較して、ホースを密接して巻き取ることができ、予め設計された所定量のホースをドラムに巻き取ることができる。これにより、ドラムにホースが巻き取れなくなるという不具合を確実に防止することができる。
【００５４】
また、請求項２のホースリールにおいては、ドラムに巻かれるホースの通過経路を下方規制部上にて高い山型となるように構成することで、前記下方規制部には前後のホースの荷重が加えられる。
【００５５】
これにより、前記下方規制部にてホースに生じる摺接抵抗を増大することができるとともに、前記荷重を巻取り方向と逆向きの力として前記ホースに加えることができる。よって、ホースの巻斑防止効果をより高めることができる。
【００５６】
さらに、請求項３のホースリールでは、ドラムを本体ケース内に収容することによって、ドラムに巻かれたホースを、本体ケースで覆うことができる。これにより、紫外線によるホースの劣化を防止することができる。
【００５７】
また、本体ケースに設けられた出入口の下縁で下方規制部を構成することができる。これにより、巻斑防止効果を得ることができるので、ホースに巻斑が生じた際にホースが本体ケースの内側面と干渉してしまうといった不具合を解消しつつ、ホースの劣化防止効果を得ることができる。
【００５８】
加えて、請求項４のホースリールにあっては、下方規制部に、ホースに接して当該ホースの移動を促す方向に回転する回転部材を設けることによって、前記ホースを、この回転部材の回転によってドラム側へ向けて案内することができる。
【００５９】
よって、ドラムへのホースの巻乱れを防止することができる。
【図面の簡単な説明】
【図１】本発明の一実施の形態を示す斜視図である。
【図２】同実施の形態の側面図である。
【図３】図２のＡ−Ａ線に沿った断面図である。
【図４】同実施の形態の平面図である。
【図５】図４のＢ−Ｂ線に沿った断面図である。
【図６】同実施の形態の正面図である。
【図７】同実施の形態におけるホースの通過経路を示す断面図である。
【図８】同実施の形態の底面図である。
【図９】図４のＣ−Ｃ断面に相当する図である。
【図１０】同実施の形態の折り畳み状態を示す要部の断面図である。
【図１１】本発明の他の実施の形態を示す斜視図である。
【符号の説明】
１    ホースリール
１１    本体ケース
１４    ホース
１５    ドラム
３３    出入口
３６    下方規制部
３９    巻取開始位置
４０    通過経路
１０１    コロ（回転部材）
【図１】
2004244178.tif 000003
【図２】
2004244178.tif 000004
【図３】
2004244178.tif 000005
【図４】
2004244178.tif 000006
【図５】
2004244178.tif 000007
【図６】
2004244178.tif 000008
【図７】
2004244178.tif 000009
【図８】
2004244178.tif 000010
【図９】
2004244178.tif 000011
【図１０】
2004244178.tif 000012
【図１１】
2004244178.tif 000013